(57)【要約】【課題】マスク信号の発生回路など他の専用回路を別途必要とすることなく、簡単な構成でありながら、バースト信号中に発生するゴミデータやノイズなどの外因に対する耐力を向上させることができるようにする。【解決手段】上り帯域管理ブロック１１は、バーストリセット位置をバーストリセット処理ブロック１２に対して通知する。バーストリセット処理ブロック１２は、バーストリセットを、光モジュール１４に対して通知する。光モジュール１４は、光入力信号が存在しない場合に、その旨を示すＬＯＳ信号をバーストリセット処理ブロック１２に対して通知する。バーストリセット処理ブロック１２は、ＬＯＳ信号が解除されたことをトリガとして、バーストリセットをＣＤＲまたはＣＰＡ１３に対して通知する。【選択図】図６
2008244579.tif 000002
【特許請求の範囲】
【請求項１】
光信号を受信する光信号受信手段と、
前記光信号受信手段からの信号出力を受けて当該信号からクロックおよびデータ情報を抽出して復元する情報復元手段と、
前記光信号受信手段に対する光信号入力のないことを示す受信断絶信号が解除されることをトリガとして前記情報復元手段にバーストリセット処理を行わせるタイミング制御手段と、を備えたことを特徴とするバースト光受信装置。
【請求項２】
前記タイミング制御手段は、前記光信号受信手段にバーストリセット処理を行わせた後、該光信号受信手段から出力される前記受信断絶信号が当該光信号受信手段によって解除されることをトリガとして前記情報復元手段にバーストリセット処理を行わせることを特徴とする請求項１記載のバースト光受信装置。
【請求項３】
運用状態における帯域管理を行う帯域管理手段を備え、
前記タイミング制御手段は、光通信回線が運用状態である場合、前記帯域管理手段からのタイミング指示に従って前記光信号受信手段にバーストリセット処理を行わせることを特徴とする請求項２記載のバースト光受信装置。
【請求項４】
前記バースト光受信装置が、光分岐手段を介して、複数の光通信装置に接続されて構成されたことを特徴とする光通信システム。
【請求項５】
光信号を受信する光信号受信手段に対する光信号入力のないことを示す受信断絶信号が解除されることをトリガとして、該信号からクロックおよびデータ情報を抽出して復元する情報復元手段にバーストリセット処理を行わせることを特徴とするバースト光受信制御方法。
【請求項６】
前記光信号受信手段にバーストリセット処理を行わせた後、該光信号受信手段から出力される前記受信断絶信号が当該光信号受信手段によって解除されることをトリガとして前記情報復元手段にバーストリセット処理を行わせることを特徴とする請求項５記載のバースト光受信制御方法。
【請求項７】
光通信回線が運用状態である場合、運用状態における帯域管理を行う帯域管理手段からのタイミング指示に従って前記光信号受信手段にバーストリセット処理を行わせることを特徴とする請求項６記載のバースト光受信制御方法。
【請求項８】
光信号を受信する光信号受信手段に対する光信号入力のないことを示す受信断絶信号が解除されることをトリガとして、該信号からクロックおよびデータ情報を抽出して復元する情報復元手段にバーストリセット処理を行わせるように、コンピュータに処理を実行させることを特徴とするバースト光受信制御プログラム。
【請求項９】
前記光信号受信手段にバーストリセット処理を行わせた後、該光信号受信手段から出力される前記受信断絶信号が当該光信号受信手段によって解除されることをトリガとして前記情報復元手段にバーストリセット処理を行わせるように、コンピュータに処理を実行させることを特徴とする請求項８記載のバースト光受信制御プログラム。
【請求項１０】
光通信回線が運用状態である場合、運用状態における帯域管理を行う帯域管理手段からのタイミング指示に従って前記光信号受信手段にバーストリセット処理を行わせるように、コンピュータに処理を実行させることを特徴とする請求項９記載のバースト光受信制御プログラム。
【発明の詳細な説明】
【技術分野】
【０００１】
本発明は、バースト光の受信に当たって、バーストリセット処理を行うバースト光受信装置、光通信システム、バースト光受信制御方法、およびプログラムに関する。
【背景技術】
【０００２】
従来のバーストリセット処理について、図７を参照して説明する。
まず、バーストリセット処理ブロックが、光モジュールに対してバーストリセット（ＯＰＴ＿ＲＥＳＥＴ）を行う。
バーストリセット処理ブロックは、光モジュールに対するバーストリセット（ＯＰＴ＿ＲＥＳＥＴ）が行われたことを受けて、ＣＤＲ／ＣＰＡに対してバーストリセット（ＣＤＲ＿ＲＥＳＥＴ）を行う。
【０００３】
光モジュールは上りバーストデータが入力されると（ＯＰＴ＿ＩＮＤＡＴＡ）、上りバーストデータの先頭部分（Preamble）を使用して同期を取る。
光モジュールはＣＤＲ／ＣＰＡ１３に対して上りバーストデータの先頭部分（Preamble）を削ったデータ（ＯＰＴ＿ＯＵＴＤＡＴＡ）を出力する。
【０００４】
ＣＤＲ／ＣＰＡは、光モジュールから出力された上りバーストデータ（ＯＰＴ＿ＯＵＴＤＡＴＡ）が入力されると、上りバーストデータの先頭部分（Preamble）を使用して同期を取る。
ＣＤＲ／ＣＰＡは、ＯＬＴ  ＭＡＣに対して上りバーストデータの先頭部分（Preamble）を削ったデータ（ＣＤＲ＿ＯＵＴＤＡＴＡ）を出力する。
【０００５】
以上のように、従来のバーストリセット処理ブロックは、光モジュールに対するバーストリセット（ＯＰＴ＿ＲＥＳＥＴ）が行われたことを受けて、ＣＤＲ／ＣＰＡに対してバーストリセット（ＣＤＲ＿ＲＥＳＥＴ）を行う。
【０００６】
また、従来の装置として、光モジュールに対する光入力信号が存在しない場合に、光モジュール内部で自己リセットを行い、光入力信号がないことを知らせるＬＯＳ信号を発生するようにしたものがある（例えば、特許文献１参照）。
【０００７】
また、マスク信号が入力されている間は信号出力の代わりに適正な無信号レベルを出力する出力制御回路と、バースト光信号が無信号期間および出力信号が安定するまでの期間のいずれかの期間にマスク信号を出力するマスク信号発生回路とを備え、バースト光信号が入力されてから所定時間経過後にマスク信号の出力が停止するようにしたものがある（例えば、特許文献２参照）。
【特許文献１】特開２００３−３３２９８７号公報
【特許文献２】特開２００６−２５４０６１号公報
【発明の開示】
【発明が解決しようとする課題】
【０００８】
しかしながら、上述した従来のバーストリセット処理では、次のような課題があった。
第１の課題は、バーストリセット処理ブロックは光モジュールに対するバーストリセット（ＯＰＴ＿ＲＥＳＥＴ）が行われたことを受けてＣＤＲ／ＣＰＡに対してバーストリセット（ＣＤＲ＿ＲＥＳＥＴ）を行うため、光モジュールに対するバーストリセットからＣＤＲまたはＣＰＡに対するバーストリセットまでの間に発生したゴミデータやノイズが、受信装置内に取り込まれてしまうことである。
【０００９】
第２の課題は、バーストリセット処理ブロックが、光モジュールに対するバーストリセット（ＯＰＴ＿ＲＥＳＥＴ）が行われたことを受けてＣＤＲ／ＣＰＡに対してバーストリセット（ＣＤＲ＿ＲＥＳＥＴ）を行うため、上りバーストデータに位相変動が発生した場合には適切なタイミングでバーストリセットを行うことができない虞があることである。
【００１０】
また、上述した特許文献１のものでは、リセットのトリガ条件は光入力信号が存在しないことであり、リセットする対象は光モジュール自身であり、何れについても、バースト信号におけるゴミデータやノイズなどの外因に対する耐力を向上させることについてまで考慮されたものではなかった。
【００１１】
また、上述した特許文献２のものでは、バースト光信号が無信号期間や出力信号が安定するまでの期間におけるゴミデータやノイズなどの外因の影響を排除するために、マスク信号の発生回路や、そのマスク信号により出力を変化させる出力制御回路が別途必要になってしまっていた。
【００１２】
本発明はこのような状況に鑑みてなされたものであり、マスク信号の発生回路など他の専用回路を別途必要とすることなく、簡単な構成でありながら、バースト信号中に発生するゴミデータやノイズなどの外因に対する耐力を向上させることができるバースト光受信装置、光通信システム、バースト光受信制御方法、およびプログラムを提供することを目的とする。
【課題を解決するための手段】
【００１３】
かかる目的を達成するために、本発明に係るバースト光受信装置は、光信号を受信する光信号受信手段と、上記光信号受信手段からの信号出力を受けて当該信号からクロックおよびデータ情報を抽出して復元する情報復元手段と、上記光信号受信手段に対する光信号入力のないことを示す受信断絶信号が解除されることをトリガとして上記情報復元手段にバーストリセット処理を行わせるタイミング制御手段と、を備えたことを特徴とする。
【００１４】
上記タイミング制御手段は、上記光信号受信手段にバーストリセット処理を行わせた後、該光信号受信手段から出力される上記受信断絶信号が当該光信号受信手段によって解除されることをトリガとして上記情報復元手段にバーストリセット処理を行わせることが好ましい。
【００１５】
運用状態における帯域管理を行う帯域管理手段を備え、上記タイミング制御手段は、光通信回線が運用状態である場合、上記帯域管理手段からのタイミング指示に従って上記光信号受信手段にバーストリセット処理を行わせることが好ましい。
【００１６】
また、本発明に係る光通信システムは、上記バースト光受信装置が、光分岐手段を介して、複数の光通信装置に接続されて構成されたことを特徴とする。
【００１７】
また、本発明に係るバースト光受信制御方法は、光信号を受信する光信号受信手段に対する光信号入力のないことを示す受信断絶信号が解除されることをトリガとして、該信号からクロックおよびデータ情報を抽出して復元する情報復元手段にバーストリセット処理を行わせることを特徴とする。
【００１８】
上記光信号受信手段にバーストリセット処理を行わせた後、該光信号受信手段から出力される上記受信断絶信号が当該光信号受信手段によって解除されることをトリガとして上記情報復元手段にバーストリセット処理を行わせることが好ましい。
【００１９】
光通信回線が運用状態である場合、運用状態における帯域管理を行う帯域管理手段からのタイミング指示に従って上記光信号受信手段にバーストリセット処理を行わせることが好ましい。
【００２０】
また、本発明に係るバースト光受信制御プログラムは、光信号を受信する光信号受信手段に対する光信号入力のないことを示す受信断絶信号が解除されることをトリガとして、該信号からクロックおよびデータ情報を抽出して復元する情報復元手段にバーストリセット処理を行わせるように、コンピュータに処理を実行させることを特徴とする。
【００２１】
上記光信号受信手段にバーストリセット処理を行わせた後、該光信号受信手段から出力される上記受信断絶信号が当該光信号受信手段によって解除されることをトリガとして上記情報復元手段にバーストリセット処理を行わせるように、コンピュータに処理を実行させることが好ましい。
【００２２】
光通信回線が運用状態である場合、運用状態における帯域管理を行う帯域管理手段からのタイミング指示に従って上記光信号受信手段にバーストリセット処理を行わせるように、コンピュータに処理を実行させることが好ましい。
【発明の効果】
【００２３】
以上のように、本発明によれば、マスク信号の発生回路など他の専用回路を別途必要とすることなく、簡単な構成でありながら、バースト信号中に発生するゴミデータやノイズなどの外因に対する耐力を向上させることができる。
【発明を実施するための最良の形態】
【００２４】
次に、本発明に係るバースト光受信装置、光通信システム、バースト光受信制御方法、およびプログラムをＰＯＮ（Passive Optical Network）システムに適用した一実施形態について、図面を用いて詳細に説明する。
まず、本実施形態の概略について説明する。
【００２５】
本実施形態は、ＰＯＮシステムの上りバースト処理において、ＣＤＲ（Clock and Data Recovery）またはＣＰＡ（Clock Phase Adjust）に対するバーストリセット処理を、光モジュールのＬＯＳ（Loss Of Signal）信号に動的に追従させることにより、上りバーストにおいて発生するゴミデータやノイズなどの外因に対する耐力を向上させるようにしたものである。
なお、バーストリセット処理とは、これから受信処理を行う通信相手先装置から送信されるバースト信号を受信するに当たって、その受信処理に関しての処理動作を開始させる処理のことである。
【００２６】
図１を参照して説明すると、上り帯域管理ブロック（帯域管理手段）１１は、バーストリセット位置をバーストリセット処理ブロック（タイミング制御手段）１２に対して通知する。バーストリセット処理ブロック１２は、バーストリセットを、光モジュール（光信号受信手段）１４に対して通知する。
光モジュール１４は、光入力信号が存在しない場合に、その旨を示すＬＯＳ信号（受信断絶信号）をバーストリセット処理ブロック１２に対して通知する。
バーストリセット処理ブロック１２は、ＬＯＳ信号が解除されたことを受けてバーストリセットをＣＤＲまたはＣＰＡ１３（情報復元手段）に対して通知する。
【００２７】
このようにして、本実施形態では、上りバーストデータに対するリセット処理をＬＯＳ信号に連動させているので、上りバーストデータに対して発生するゴミデータやノイズなどの外因に対する耐力を向上することができる。
【００２８】
より詳述すると、本実施形態としてのＰＯＮシステムにおける動的バーストリセット方式では、上りバーストデータに対するリセット処理をＬＯＳ信号に連動させているので、光モジュール１４に対するバーストリセットからＣＤＲまたはＣＰＡ１３に対するバーストリセットまでの間に発生したゴミデータやノイズが装置内に取り込まれることを防ぐことができる。
これにより、上りバーストデータに対して発生するゴミデータやノイズなどの外因に対する耐力を向上することができる。
【００２９】
次に、本発明の実施形態としてのＧＰＯＮシステムの構成について、図２を参照して詳細に説明する。
この図２に示すように、本実施形態としてのＧＰＯＮシステムでは、Ｓｐｌｉｔｔｅｒ（光分岐手段）３が、ＯＬＴ（Optical Line Terminal；局側光網終端装置）１から送信される下り信号を、全ＯＮＵ（Optical Network Unit；加入者側光網終端装置）４に対して分岐して送信する。
また、Ｓｐｌｉｔｔｅｒ３が、各ＯＮＵ（通信相手先の光通信装置）４から送信される上り信号を多重化し、ＯＬＴ（バースト光受信装置）１に送信する。
【００３０】
図３を参照すると、図２に示すＯＬＴ１から送信される下り信号（ＢＷｍａｐ）と、ＯＮＵ４から送信される上りバーストデータのＯＬＴ１への到着タイミングとの詳細な構成が示されている。
【００３１】
ＯＬＴ１は、ＴＥｑＤ（２５０マイクロ秒）のタイミングで上りバーストデータを受信するために、各ＯＮＵ４の距離に応じた上りバーストの送出遅延時間（ＥｑＤ；Equalization Delay）を距離測定手順（Ranging）によって測定し、ＥｑＤの値を各ＯＮＵ４に通知する。
ＯＬＴ１は、帯域割当情報（ＢＷｍａｐ）を１２５マイクロ秒周期でＯＮＵ４に通知する。
【００３２】
ＯＬＴ１は下りデータによって、各ＯＮＵ４の上りバーストデータの送出タイミングを帯域割当情報（ＢＷｍａｐ）によって通知する。
ＯＮＵ４はＢＷｍａｐを受信してから、ＯＮＵ４の応答時間（Response Time）、送出遅延時間（ＥｑＤ）、そしてＯＬＴ１から通知されたＢＷｍａｐにしたがった送信開始タイミング（SStart）だけ待って上りバーストデータを送信する。
【００３３】
ＯＬＴ１はＢＷｍａｐによって帯域割当を行ったＯＮＵ４から送出される上りバーストデータを下り信号（Ｂｗｍａｐ）を送信してからＴＥｑＤ（２５０マイクロ秒）だけ遅れたタイミングの１２５マイクロ秒ウィンドウ内で受信する。
【００３４】
以上詳細に本実施形態の構成を述べたが、図３のResponse Timeの定義、ＥｑＤ算出方法、SStartの定義については、当業者にとってよく知られており、また本発明の要部とは直接関係しないので、それらについての説明を省略する。
【００３５】
次に、本実施形態としてのＰＯＮシステムの動作について説明する。
まず、光通信回線が運用状態である場合の動作について、図４を参照して説明する。
【００３６】
図４を参照すると、図３に示す上りバーストデータのＯＬＴ１への到着タイミングと合わせて、運用状態における光モジュール１４へのバーストリセットおよびＣＤＲ／ＣＰＡ１３へのバーストリセットのタイミングが示されている。
【００３７】
ＯＬＴ１の上り帯域管理ブロック１１は、予め記憶している上りバーストデータのＯＬＴ１への到着タイミングにしたがって、バーストリセット処理ブロック１２に光モジュール１４へのバーストリセット（ＯＰＴ＿ＲＥＳＥＴ）を送信させ、バーストリセットを実行させる。
【００３８】
ＯＬＴ１のバーストリセット処理ブロック１２は、ＬＯＳ（Loss Of Signal）信号の解除をトリガとして、ＣＤＲまたはＣＰＡ１３にバーストリセット（ＣＤＲ＿ＲＥＳＥＴ）を送信し、バーストリセットを行う。
このことにより、上りバーストデータの到着位相のずれに連動してＣＤＲ／ＣＰＡ１３へのバーストリセットを行うこととなる。
【００３９】
次に、光通信回線が非運用状態（Rangingなど）である場合の動作について、図５を参照して説明する。
図５を参照すると、非運用状態における光モジュール１４へのバーストリセットおよびＣＤＲ／ＣＰＡ１３へのバーストリセットのタイミングが示されている。
【００４０】
ＯＬＴ１は、上りバーストデータのＯＬＴ１への到着タイミングを知らないので、ＯＮＵ４からの上りバーストデータの待ち受け開始と同時に、バーストリセット処理ブロック１２に光モジュール１４へのバーストリセット（ＯＰＴ＿ＲＥＳＥＴ）を送信させ、バーストリセットを実行させる。
【００４１】
ＯＬＴ１のバーストリセット処理ブロック１２は、ＬＯＳ（Loss Of Signal）信号の解除をトリガとして、ＣＤＲまたはＣＰＡ１３にバーストリセット（ＣＤＲ＿ＲＥＳＥＴ）を送信し、バーストリセットを行う。
このことにより、上りバーストデータの到着位置に連動してＣＤＲ／ＣＰＡ１３へのバーストリセットを行うこととなる。
【００４２】
次に、図４、図５に示すバーストリセット処理を、図６に示すタイミングチャートを使用して説明する。
タイミングチャート中の信号名および機能名は図１にしたがうものとする。
【００４３】
バーストリセット処理ブロック１２は、光モジュール１４に対してバーストリセット（ＯＰＴ＿ＲＥＳＥＴ）を行う。
光モジュール１４は、上りバーストデータが入力されると（ＯＰＴ＿ＩＮＤＡＴＡ）、上りバーストデータの先頭部分（Preamble）を使用して同期を取る。
【００４４】
光モジュール１４は、ＣＤＲ／ＣＰＡ１３に対して上りバーストデータの先頭部分（Preamble）を削ったデータ（ＯＰＴ＿ＯＵＴＤＡＴＡ）を出力する。
光モジュール１４は、上りバーストデータ（ＯＰＴ＿ＩＮＤＡＴＡ）が入力されたことを検出してバーストリセット処理ブロック１２に対してＬＯＳ（Loss Of Signal）信号の解除を通知する。
【００４５】
バーストリセット処理ブロック１２はＬＯＳ信号の解除に連動してＣＤＲ／ＣＰＡ１３に対してバーストリセット（ＣＤＲ＿ＲＥＳＥＴ）を行う。
【００４６】
ＣＤＲ／ＣＰＡ１３は、光モジュール１４から出力された上りバーストデータ（ＯＰＴ＿ＯＵＴＤＡＴＡ）が入力されると、上りバーストデータの先頭部分（Preamble）を使用して同期を取る。
ＣＤＲ／ＣＰＡ１３はＯＬＴ  ＭＡＣに対して上りバーストデータの先頭部分（Preamble）を削ったデータ（ＣＤＲ＿ＯＵＴＤＡＴＡ）を出力する。
【００４７】
以上のように、本実施形態によれば、以下に記載するような効果を奏する。
第１の効果は、バーストリセット処理ブロック１２が上りバーストデータに対するリセット処理をＬＯＳ信号に連動させているので、光モジュール１４に対するバーストリセットからＣＤＲまたはＣＰＡ１３に対するバーストリセットまでの間に発生したゴミデータやノイズが装置内に取り込まれることを防ぐことができることである。
【００４８】
第２の効果は、バーストリセット処理ブロック１２が上りバーストデータに対するリセット処理をＬＯＳ信号に連動させているので、上りバーストデータに位相変動が発生した場合であっても、適切なタイミングでバーストリセットを行うことができることである。
【００４９】
このように、本実施形態では、光モジュール１４から出力されるＬＯＳ信号の解除をトリガとして、光モジュール１４から出力された信号を受信するＣＤＲまたはＣＰＡ１３に対してバーストリセット処理を行わせることで、光モジュールから出力されるゴミデータやノイズが完全にマスクされていない光モジュールを用いる場合であっても、マスク信号の発生回路など他の専用回路を別途必要とすることなく、簡単な構成でありながら、バースト信号中に発生するゴミデータやノイズなどの外因に対する耐力を向上させ、ＣＤＲまたはＣＰＡ１３の誤動作を抑制することができる。
【００５０】
なお、上述した各実施形態は本発明の好適な実施形態であり、本発明はこれに限定されることなく、本発明の技術的思想に基づいて種々変形して実施することが可能である。
例えば、光モジュール１４は、バースト受信が可能であるような電気モジュールで構成されていてもよい。
また、ＯＬＴ  ＭＡＣは、バースト受信を行う必要があるようなＰＯＮシステム以外の他の機能ブロックで構成してもよい。
【００５１】
また、上述した各実施形態としてのＰＯＮシステムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００５２】
この本発明に係るプログラムによれば、当該プログラムによって制御されるコンピュータに、上述した本発明に係る各実施形態としてのＰＯＮシステムにおける各機能を実現させることができる。
【図面の簡単な説明】
【００５３】
【図１】本発明の実施形態に係るＯＬＴの構成要部を示すブロック図である。
【図２】本発明の実施形態としてのＰＯＮシステムの構成概略を示すブロック図である。
【図３】ＯＬＴ１からの下り信号（ＢＷｍａｐ）と、ＯＮＵからの上りバーストデータの関係を示すタイミング図である。
【図４】本実施形態のＰＯＮシステムにおける、光通信回線が運用状態である場合の動作例を示す図である。
【図５】該ＰＯＮシステムにおける、光通信回線が非運用状態である場合の動作例を示す図である。
【図６】該ＰＯＮシステムにおけるバーストリセット処理を詳細に示すタイミング図である。
【図７】従来のＰＯＮシステムにおけるバーストリセット処理を詳細に示すタイミング図である。
【符号の説明】
【００５４】
１    ＯＬＴ（バースト光受信装置の一例）
１１    上り帯域管理ブロック（帯域管理手段の一例）
１２    バーストリセット処理ブロック（タイミング制御手段の一例）
１３    ＣＤＲ／ＣＰＡ（情報復元手段の一例）
１４    光モジュール（光信号受信手段の一例）
２    光Ｆｉｂｅｒ（信号伝送路の一例）
３    Ｓｐｌｉｔｔｅｒ（光分岐手段の一例）
４    ＯＮＵ（通信相手先の光通信装置の一例）
【図１】
2008244579.tif 000003
【図２】
2008244579.tif 000004
【図３】
2008244579.tif 000005
【図４】
2008244579.tif 000006
【図５】
2008244579.tif 000007
【図６】
2008244579.tif 000008
【図７】
2008244579.tif 000009